(57)【要約】【課題】小物の収納や使い勝手に難点があった。【解決手段】囲枠部６の少なくとも１辺の辺部４、4a…を開口し、該辺部４、4a…に面すると共に、内部枠の枠部材で囲繞される一側開口の枠内空間を収納空間と成し、該収納空間に面する枠部材にガイド部19、19ａ付きの収納枠18を取付けると共に、被ガイド部20、20ａ付きの収納箱21を収納枠18に引き出し自在に設けることによって、上面板３に取付けた収納箱21を引き出し、押し込むことで小物を収納する。【選択図】図３
2006138539.tif 000002
【特許請求の範囲】
【請求項１】
４角に脚体を取付ける四角枠状の囲枠部に井桁状の内部枠を取付けた櫓の上面板であっ
て、
囲枠部の少なくとも１辺の辺部を開口し、該辺部に面すると共に、内部枠の枠部材で囲
繞される一側開口の枠内空間を収納空間と成し、該収納空間の側部に面する枠部材にガイ
ド部を設けると共に、被ガイド部付きの収納箱を収納空間に引き出し自在に設けたことを
特徴とするコタツ、座卓用の櫓。
【請求項２】
収納空間の奥部に面する枠部材と収納箱の後面板に磁着部材を設けたことを特徴とする
請求項１記載のコタツ、座卓用の櫓。
【請求項３】
４角に脚体を取付ける四角枠状の囲枠部に井桁状の内部枠を取付けた櫓の上面板であっ
て、
囲枠部の少なくとも１辺の辺部を開口し、該辺部に面すると共に、内部枠の枠部材で囲
繞される一側開口の枠内空間を収納空間と成し、該収納空間に面する枠部材にガイド部付
きの収納枠を取付けると共に、被ガイド部付きの収納箱を収納枠に引き出し自在に設けた
ことを特徴とするコタツ、座卓用の櫓。
【請求項４】
平面視コ字状の収納枠の後面板と収納箱の後面板に磁着部材を設けたことを特徴とする
請求項３記載のコタツ、座卓用の櫓。
【請求項５】
平面視コ字状の収納枠の側面板の外側に所定幅の間隔保持材を突出形成したことを特徴
とする請求項３又は４記載のコタツ、座卓用の櫓。
【請求項６】
囲枠部の辺部の枠部材の下側を部分開口したことを特徴とする請求項１、２、３、４又
は５記載のコタツ、座卓用の櫓。
【発明の詳細な説明】
【技術分野】
【０００１】
本発明は、蒲団、天板とセットでコタツ（電気炬燵その他の炬燵）としても使用される
コタツ、座卓用の櫓に関する。
【背景技術】
【０００２】
従来、４本の脚体で上面板を支持する櫓は、家庭に欠かせない家具であり、特に、櫓の
上に蒲団、天板をセットして使用されるコタツや、夏場に天板とで使用される座卓は重宝
されていた（例えば、特許文献１参照）。
家族の憩いの場所では、その周囲に様々な小物が存在し、通常は小物入れに収納される
共に、小物入れを天板上に配置していた。
【０００３】
【特許文献１】特開２００２−１３９２２２公報
【発明の開示】
【発明が解決しようとする課題】
【０００４】
しかしながら、コタツや座卓に家族が集合した時には、天板上の小物入れが邪魔となっ
ていたり、コタツ等から離れた周囲に小物入れを移動した時には、小物入れを手元に近づ
ける手間を要していた。
尚、天板に収納部を設けたものが一部で見受けられるが、天板は元来、薄いために容量
が小さくなり、更に、上方開口のものでは、天板上に各種物品を置くため、収納部や収納
物品を汚損する危険性があった。
【課題を解決するための手段】
【０００５】
本発明は、上記従来技術に基づく、小物の収納や使い勝手に難点があった課題に鑑み、
囲枠部の少なくとも１辺の辺部を開口し、該辺部に面すると共に、内部枠の枠部材で囲繞
される一側開口の枠内空間を収納空間と成し、該収納空間に面する枠部材にガイド部付き
の収納枠を取付けると共に、被ガイド部付きの収納箱を収納枠に引き出し自在に設けるこ
とによって、上面板に取付けた収納箱を引き出し、押し込むことで小物を収納する様にし
て、上記課題を解決する。
【発明の効果】
【０００６】
要するに本発明は、囲枠部の少なくとも１辺の辺部を開口し、該辺部に面すると共に、
内部枠の枠部材で囲繞される一側開口の枠内空間を収納空間と成したので、着座位置側で
ある手前側に引き出す収納部を設けることが出来て、使い勝手が良好な場所に小物を収納
することが出来ると共に、収納箱を押し込むことにより邪魔とならず、更に、所定厚さを
有する上面板の辺部に収納部を設けることにより、高さ、幅ともに大きくして収納部の容
量を大きくすることが出来、又収納空間の側部に面する枠部材にガイド部を設けると共に
、被ガイド部付きの収納箱を収納空間に引き出し自在に設けたので、大容量の収納箱をガ
イド部等で案内して、引き出し、押し込み収納をスムーズに行うことが出来る。
【０００７】
収納空間へのガイド部の形成に際して、ガイド部付きの収納枠を内部枠の枠部材に取付
けたので、枠部材を簡易構成と成すと共に、各メーカーの既製品の櫓に収納枠を取付けて
汎用性を向上することが出来る。
【０００８】
収納空間の奥部に面する枠部材と収納箱の後面板に磁着部材を設けたり、平面視コ字状
の収納枠の後面板と収納箱の後面板に磁着部材を設けたので、前面開口側への不意な抜き
出しを防止し、磁力に抗した操作時のみ引き出し可能として安全性を確保することが出来
る。
【０００９】
平面視コ字状の収納枠の側面板の外側に所定幅の間隔保持材を突出形成したので、囲枠
部と内部枠を接合する連結具が突出状態で存在しても、間隔保持材を介して収納枠の側面
板と内部枠の枠部材を一体化して安定性を向上することが出来たり、間隔保持材と側面板
の一体形成で収納枠の強度を向上することが出来る。
【００１０】
囲枠部の辺部の枠部材の下側を部分開口したので、囲枠部の必要強度を充分に確保する
ことが出来る等その実用的効果甚だ大である。
【発明を実施するための最良の形態】
【００１１】
以下、本発明の一実施形態を図面に基づいて説明する。                            
図１、２に示す様に、冬場等は蒲団、天板とセットでコタツ（電気炬燵その他の炬燵）
として使用され、夏場等は天板とセットで座卓として使用される櫓１は、４本の脚体２、
2a…および該脚体２、2a…で支持される上面板３から構成されている。
上面板３は、４辺の辺部４、4a…とコーナー部５、5a…が一対化された囲枠部６と、該
囲枠部６の内部に取付けられる井桁状の内部枠７と、コーナー部５、5a…に取付けられる
脚体２、2a…とから成り、内部枠７の枠部材８、8a…で井桁状に区割された９個の枠内空
間９、9a…の中央部の設置空間10に加熱部（図示せず）が取付けられる。
【００１２】
囲枠部６の一部となるコーナー部５、5a…は２辺方向（直角２方向）に水平連結部11、
11ａを突出形成すると共に、下部方向に脚体２、2a…の一部となる下方連結部12を突出形
成し、該下方連結部12の下端に折畳自在や着脱自在な下方脚部13を設けている。
囲枠部６の辺部４、4a…は、コーナー部５、5a…の水平連結部11、11ａと水平方向で嵌
脱自在な略四角枠状、筒状（角棒状なども可）であると共に、外側面下部は湾曲状と成し
、又辺部４、4a…の内側面に内部枠７の枠部材８、8a…と同一間隔で略Ｕ字状の連結具14
、14ａを突出形成している。
【００１３】
内部枠７を井桁状に構成する縦横各２本の枠部材８、8a…の両端は辺部４、4a…の内側
面に突出形成された連結具14、14ａ内に嵌合され、任意の１本の枠部材８、8a…の中間部
において、枠部材８、8a…の下部に凹設部15を設けている。
前記の通り、枠部材８、8a…で区画される枠内空間９、9a…は中央部が設置空間10と成
す他、辺部４、4a…に面する一側開口の枠内空間９、9a…の一部を収納空間16、16ａ…と
成すと共に、凹設部15を形成した枠部材８、8a…に接する１区画の枠内空間９、9a…を加
熱部に関連したツマミの操作具、コード収納部等の設置空間10ａと成している。
図示のものでは１個、最大では３個の収納空間16、16ａ…を収納部と成しており、辺部
４、4a…の一部を開口部17を成すと共に、平面視略コ字状の収納枠18を内部枠７に取付け
、収納枠18にガイド部19、19ａを設けると共に、該ガイド部19、19ａに案内される被ガイ
ド部20、20ａを有する収納箱21を開口部17側へ引き出し自在に設けている。
尚、辺部４、4a…に設けた開口部17は、辺部４、4a…の一部である約半分の下側部分を
開口形成しているが、上面板３の必要強度を確保すれば開口面積は問わない。
【００１４】
図３、６に示す様に、平面視で略コ字状の収納枠18は２枚対向一対の側面板22、22ａ（
収納空間16、16ａ…の両側部の対面）と奥方の後面板23（収納空間16、16ａ…の奥部の対
面）から成り、側面板22、22ａの内面には手前から後方にかけて、上方部に２本、下方部
に１本の凹溝24、24ａ、24ｂから成るガイド部19、19ａを水平方向に設けている。
又、収納枠18の後面板23の中央下部に磁着部材25の一方となるマグネット26を設けてお
り、詳しくは、図５、６に示す様に、前面側に装着口27を有する断面コ字状の収納材28を
後面板23の下縁から突出形成している。
更に、図３、６に示す様に、一対の側面板22、22ａの下縁から外側方に取付孔29、29ａ
を有する取付板30、30ａを一体形成すると共に、側面板22、22ａの外側面で上下方向に所
定高さの矩形状の間隔保持材31、31ａを突出形成している。
上記取付板30、30ａは側面板22、22ａの前後方向で全面的に設けておらず、後述する組
付状態から判明する様に、囲枠部６に内部枠７を取付ける連結具14、14ａに当接しない様
に、手前側に欠切部32を設定して、中途部から後方部にかけて取付板30、30ａを形成して
いる。
尚、枠部材８、8a…から収納空間16、16ａ…へ突出する連結具14、14ａが無い状態で、
或いは、突出しない状態で囲枠部６に内部枠７を連結している場合には、欠切部32を設定
せずに取付板30、30ａを手前側に延設し、且つ、間隔保持材31、31ａも設けない。
【００１５】
図３、４、５に示す様に、収納箱21は上面開口の箱状であり、側面板33、33ａの外側面
に手前から後方にかけて上方部に２本、下方部に１本の突条34、34ａ、34ｂから成る被ガ
イド部20、20ａを水平方向に設けている。
又、後面板35の中央下部の背面側に装着口36を凹設すると共に、磁着部材25の他方とな
る鉄板（磁性体）37を装着口36に嵌入している。
尚、磁着部材25として収納枠18にマグネット26を、収納箱21に鉄板37を設けたが、磁着
する材質であればその種類は問わない。
又、収納箱21の後面板35の上端は側面板33、33ａより高くした係止部38を突出形成し、
上面板３の収納枠18へ組み込んで引き出した時に、辺部４、4a…の内面に係止部38が当接
する様にしており、更に、前面板39は辺部４、4a…と同一形状となる様に湾曲形成すると
共に、前面板39の幅は側面板33、33ａ…の幅より広くして収納枠18の側面板22、22ａの前
端を被覆当接する様にし、又前面板39の下部は底板40より低くして把手41を突出形成して
いる。
【００１６】
次に本発明に係るコタツ、座卓用の櫓の組付状態および作用について説明する。
図４、５に示す様に、収納枠18のガイド部19、19ａ（凹溝24、24ａ、24ｂ）と収納箱21
の被ガイド部20、20ａ（突条34、34ａ、34ｂ）を水平方向で嵌合すると共に、収納枠18の
マグネット26と収納箱21の鉄板37を磁着状態と成して、収納枠18に収納箱21を組込み、収
納枠18の側方手前側の欠切部32を囲枠部６と内部枠７の連結箇所である連結具14、14ａの
位置に合わせて、収納枠18等を下方から内部枠７の枠部材８、8a…に近接させる。
そして、図４に示す様に、内部枠７の枠部材８、8a…の下面に収納枠18の取付板30、30
ａを当接させると共に、枠部材８、8a…の内面に間隔保持材31、31ａの外面を当接させ、
取付板30、30ａの取付孔29、29ａにビス、螺子等を差し込んで収納枠18を内部枠７の枠部
材８、8a…に取付ける。
【００１７】
図５に示す様に、収納箱21の引き出し時には、マグネット26と鉄板37の磁着力に抗する
如く、多少、力を入れて収納箱21を引っ張り、係止部38が辺部４、4a…の内面に当接する
まで収納箱21を引き出すと、収納箱21の略全面が開口して小物等を出し入れし、収納箱21
を押し込むことにより辺部４、4a…と前面板39は略同一と成り、マグネット26と鉄板37か
ら成る磁着部材25で収納箱21は収納状態が維持される。
収納箱21の引き出し時、押し込み時には、収納枠18と収納箱21の左右接触面において、
上下３本の凹溝24、24ａ、24ｂと突条34、34ａ、34ｂが嵌合し、収納枠18に対して収納箱
21が前後方向に安定的にスライド移動する。
【００１８】
尚、上記実施形態では、平面視コ字状の収納枠18を取付けた例を示したが、内部枠７の
枠部材８、8a…にガイド部19、19ａを直接設けて、収納箱21を引き出し自在に設けても良
い。
例えば、収納空間16、16ａ…の両側部に面する内部枠７の枠部材８、8a…の側面に凹溝
24、24ａ、24ｂを設けると共に、収納空間16、16ａ…の奥部に面する内部枠７の枠部材８
、8a…の側面にマグネット26を設けても良い。
この場合、囲枠部６に内部枠７を取付ける連結具14、14ａは、枠部材８、8a…から収納
空間16、16ａ…へ突出しない形態のものと成すと共に、好ましくは枠部材８、8a…を囲枠
部６の外面近傍まで延設する。
【図面の簡単な説明】
【００１９】
【図１】本発明に係る櫓の平面図である。
【図２】図１の正面図である。
【図３】要部の分解斜視図である。
【図４】図１のＡ−Ａ断面図である。
【図５】図１のＢ−Ｂ断面図である。
【図６】収納枠の平面図および正面図である。
【符号の説明】
【００２０】
４、4a…    辺部
６          囲枠部
７          内部枠
８、8a…    枠部材
９、9a…    枠内空間
14、14ａ    連結具
16、16ａ…  収納空間
17          開口部
18          収納枠
19、19ａ    ガイド部
20、20ａ    被ガイド部
21          収納箱
22、22ａ    側面板
23          後面板
25          磁着部材
30、30ａ    取付板
31、31ａ    間隔保持材
35          後面板
【図１】
2006138539.tif 000003
【図２】
2006138539.tif 000004
【図３】
2006138539.tif 000005
【図４】
2006138539.tif 000006
【図５】
2006138539.tif 000007
【図６】
2006138539.tif 000008